(57)【要約】【課題】ソフトにより、コンピュータープラットホームの多重起動画面を実現する方法を提供する。【解決手段】本方法は、多重起動画面モードに適用する複数の予存画面資料を記憶する記憶装置と、起動画面を表示するディスプレイとを含むコンピュータープラットホームの起動工程（Ｓ１００）と、一般の起動画面モードに適用する予設画面資料を含むＢＩＯＳを起動する工程（Ｓ１０２）とを備える。さらに、起動画面モードが多重起動画面モードの時、起動選択設定を受信すると共に、ディスプレイ上に起動選択設定に対応する予存画面資料を表示する工程（Ｓ１１０）と、起動画面モードが一般の起動画面モードの時、ディスプレイ上にＢＩＯＳの予設画面資料を表示する工程（Ｓ１１２）と、表示される予存画面資料、或いは予設画面資料に合わせて、後続の起動工程を実行する工程（Ｓ１１４）とを備える。【選択図】    図２
2004164539.tif 000002
【特許請求の範囲】
【請求項１】
コンピュータープラットホームの起動画面を制御する方法であって、該方法は、
多重起動画面モードに適用する複数の予存画面資料を記憶する記憶装置と、起動画面を表示するディスプレイとを備えるコンピュータープラットホームの起動工程を実行すると共に、一般の起動画面モードに適用する予設画面資料を備えるＢＩＯＳを起動する工程と、
前記ＢＩＯＳのパターンモードにおいて、起動画面モードを受信する工程と、
前記起動画面モードが多重起動画面モードの時、起動選択設定を受信すると共に、前記ディスプレイ上に前記起動選択設定に対応する予存画面資料を表示し、前記起動画面モードが一般の起動画面モードの時、前記ディスプレイ上に前記ＢＩＯＳの予設画面資料を表示する工程と、
前記ディスプレイが表示する前記予存画面資料、或いは前記予設画面資料に合わせて、後続の起動工程を実行する工程と、
を備えることを特徴とする方法。
【請求項２】
前記記憶装置はメモリ装置であることを特徴とする請求項１に記載の方法。
【請求項３】
前記記憶装置はディスクドライブであることを特徴とする請求項１に記載の方法。
【請求項４】
前記起動選択設定は、フラグバッファに記憶され、前記フラグバッファはエンベデッドコントローラー、キーボードエンコーダー、或いはリモコンにより設定されることを特徴とする請求項１に記載の方法。
【請求項５】
前記起動選択設定は、前記コンピュータープラットホームの関連条件により設定され、前記関連条件は、前記コンピュータープラットホーム起動時の起動日時或いは時間、前記コンピュータープラットホーム起動時の任意の設定値、及び前記コンピュータープラットホーム起動時、ＢＩＯＳに基づいた異なる起動モードのうちのどれかであることを特徴とする請求項１に記載の方法。
【請求項６】
コンピュータープラットホームにその起動画面に係る制御を実行させるためのコンピュータープログラムを記憶する記憶媒体であって、前記コンピュータープログラムは、
多重起動画面モードに適用する複数の予存画面資料を記憶する記憶装置と、起動画面を表示するディスプレイとを備えるコンピュータープラットホームの起動工程を実行すると共に、一般の起動画面モードに適用する予設画面資料を備えるＢＩＯＳを起動する工程と、
前記ＢＩＯＳのパターンモードにおいて、起動画面モードを受信する工程と、
前記起動画面モードが多重起動画面モードの時、起動選択設定を受信すると共に、前記ディスプレイ上に前記起動選択設定に対応する予存画面資料を表示し、前記起動画面モードが一般の起動画面モードの時、前記ディスプレイ上に前記ＢＩＯＳの予設画面資料を表示する工程と、
前記ディスプレイが表示する前記予存画面資料、或いは前記予設画面資料に合わせて、後続の起動工程を実行する工程と、
を備えることを特徴とする記憶媒体。
【請求項７】
前記記憶装置はメモリ装置であることを特徴とする請求項６に記載の記憶媒体。
【請求項８】
前記記憶装置はディスクドライブであることを特徴とする請求項６に記載の記憶媒体。
【請求項９】
前記起動選択設定は、フラグバッファに記憶され、前記フラグバッファはエンベデッドコントローラー、キーボードエンコーダー、或いはリモコンにより設定されることを特徴とする請求項６に記載の記憶媒体。
【請求項１０】
前記起動選択設定は、前記コンピュータープラットホームの相関条件により設定され、前記相関条件は、前記コンピュータープラットホーム起動時の起動日時或いは時間、前記コンピュータープラットホーム起動時の任意の設定値、及び前記コンピュータープラットホーム起動時、ＢＩＯＳに基づいた異なる起動モードのうちのどれかであることを特徴とする請求項６に記載の記憶媒体。
【請求項１１】
コンピュータープラットホームであって、
起動画面を表示するディスプレイと、
多重起動画面モードに適用する複数の予存画面資料を記憶する記憶装置と、
一般の起動画面モードに適用する予設起動画面資料を備えるＢＩＯＳと、
前記ディスプレイ、前記記憶装置及び前記ＢＩＯＳに接続され、起動工程を実施し、前記ＢＩＯＳを起動すると共に、パターンモードの時、起動画面モードを受信し、前記起動画面モードが多重起動画面モードの時、起動選択設定を受信すると共に、前記ディスプレイに、前記起動選択設定に対応する前記予存画面資料を表示し、前記起動画面モードが一般の起動画面モードの時、前記ディスプレイ上に前記ＢＩＯＳの前記予設画面資料を表示し、前記ディスプレイが表示する前記予存画面資料、或いは前記予設画面資料に合わせて、後続の起動工程を実施するＣＰＵと、
を備えることを特徴とするコンピュータープラットホーム。
【請求項１２】
前記記憶装置はメモリ装置であることを特徴とする請求項１１に記載のコンピュータープラットホーム。
【請求項１３】
前記記憶装置はディスクドライブであることを特徴とする請求項１１に記載のコンピュータープラットホーム。
【請求項１４】
前記起動選択設定は、フラグバッファに記憶され、前記フラグバッファはエンベデッドコントローラー、キーボードエンコーダー、或いはリモコンにより設定されることを特徴とする請求項１１に記載のコンピュータープラットホーム。
【請求項１５】
前記起動選択設定は、前記コンピュータープラットホームの関連条件により設定され、前記関連条件は、前記コンピュータープラットホーム起動時の起動日時或いは時間、前記コンピュータープラットホーム起動時の任意の設定値、及び前記コンピュータープラットホーム起動時、ＢＩＯＳに基づいた異なる起動モードのうちのどれかであることを特徴とする請求項１１に記載のコンピュータープラットホーム。
【請求項１６】
コンピュータープラットホームにその起動画面に係る制御を実行させるためのプログラムであって、該プログラムは、
多重起動画面モードに適用する複数の予存画面資料を記憶する記憶装置と、起動画面を表示するディスプレイとを備えるコンピュータープラットホームの起動工程を実行すると共に、一般の起動画面モードに適用する予設画面資料を備えるＢＩＯＳを起動する工程と、
前記ＢＩＯＳのパターンモードにおいて、起動画面モードを受信する工程と、
前記起動画面モードが多重起動画面モードの時、起動選択設定を受信すると共に、前記ディスプレイ上に前記起動選択設定に対応する予存画面資料を表示し、前記起動画面モードが一般の起動画面モードの時、前記ディスプレイ上に前記ＢＩＯＳの予設画面資料を表示する工程と、
前記ディスプレイが表示する前記予存画面資料、或いは前記予設画面資料に合わせて、後続の起動工程を実行する工程と、
を備えることを特徴とするプログラム。
【請求項１７】
前記記憶装置はメモリ装置であることを特徴とする請求項１６に記載のプログラム。
【請求項１８】
前記記憶装置はディスクドライブであることを特徴とする請求項１６に記載のプログラム。
【請求項１９】
前記起動選択設定は、フラグバッファに記憶され、前記フラグバッファはエンベデッドコントローラー、キーボードエンコーダー、或いはリモコンにより設定されることを特徴とする請求項１６に記載のプログラム。
【請求項２０】
前記起動選択設定は、前記コンピュータープラットホームの関連条件により設定され、前記関連条件は、前記コンピュータープラットホーム起動時の起動日時或いは時間、前記コンピュータープラットホーム起動時の任意の設定値、及び前記コンピュータープラットホーム起動時、ＢＩＯＳに基づいた異なる起動モードのうちのどれかであることを特徴とする請求項１６に記載のプログラム。
【発明の詳細な説明】
【０００１】
【発明の属する技術分野】
本発明は、単一コンピュータープラットホームの起動画面の技術に関するもので、特に、プログラムにより、単一コンピュータープラットホームの多重起動画面を実現する方法及びコンピュータープラットホームに関するものである。
【０００２】
【従来の技術】
コンピューター産業の発展とコンピューター関連技術の進歩により、単一コンピュータープラットホームは、一般のコンピューター機能を実行するだけのものではなくなった。特に、近来、情報家電（ＩＡ）の研究開発と成長は著しく、単一コンピュータープラットホームは、結合家電機能の複合式のコンピュータープラットホームになっている。しかし、現行のパソコン、或いはノートブック等のコンピュータープラットホームは、起動時に、文字モードで現在のコンピュータープラットホームの起動状態及びシステム関連資料を表示し、異なる機能、或いは個人の好みに応じて、異なる起動画面を選択することには対応できない。あるコンピュータープラットホームはパターンモードを提供できるが、そのシステムメーカー自身が備えるロゴ、或いはシステムメーカーの予設パターンの表示に限定されている。ユーザーがその開示パターンを変更したければ、表示したいパターンを焼かなければならず、また、一回に付き一種の選択しかできない。もし、再度、変更する場合、新たに焼く必要があり、ユーザーにとっては非常に不便である。よって、コンピューター産業の急速な発展とコンピューター家電化応用が複雑な情況下で、公知技術は使用要求を満足させることが出来ない。
【０００３】
この出願の発明に関連する先行技術文献情報としては次のものがある。
【０００４】
【特許文献１】
米国特許第５６００７６６号明細書
【特許文献２】
米国特許第５９２６１６６号明細書
【特許文献３】
米国特許第６２６９４４１号明細書
【特許文献４】
米国特許第６４８７６６９号明細書
【０００５】
【発明が解決しようとする課題】
本発明は、ソフト（プログラム）により、単一コンピュータープラットホームの多重起動画面を実現する方法を提供することを目的とし、ソフトの方式により、単一コンピュータープラットホーム下の多重起動画面を実現する。この方法は、コンピュータープラットホームのハード設備を変更する必要がなく、又、ユーザーも必要な方式を容易に選択して、多重起動画面を表示することができ、効果的に公知技術が突破できない問題を解決することができる。
【０００６】
本発明はコンピュータープラットホームにより多重開示画面を表示することをもう一つの目的とし、コンピューター家電化の機能と合わせて、その家電機能に関連する起動画面を表示し、コンピュータープラットホームが、ユーザーの要求を更に満たすようにすると共に、未来のコンピューター商品の個人化及びコンピューター商品家電化の要求を満足させる。
【０００７】
【課題を解決するための手段】
上述の目的を達成するため、本発明は、ディスプレイ、記憶装置、ＢＩＯＳ及びＣＰＵからなるコンピュータープラットホームを提供する。ディスプレイ装置は起動画面を表示する。記憶装置は多重起動画面モードに適用される予存画面資料を記憶する。ＢＩＯＳは一般起動画面モードに適用される予設画面資料を備え、ＣＰＵは起動工程を実行し、ＢＩＯＳを起動すると共に、パターンモードになる時、起動画面モードを受信する。起動画面モードが多重起動画面モードの時、ＣＰＵは起動選択設定を受信し、ディスプレイ上に予存画面資料を表示する。起動画面モードが一般の起動画面モードの時、ディスプレイ上に予設画面資料を表示し、表示した画面資料と合わせて、後続の起動工程を実行する。
【０００８】
本発明が提供するコンピュータープラットホームは、フラグ（ｆｌａｇｓ）バッファを更に備え、起動選択設定を記憶する。起動選択設定はエンベデッドコントローラー（Ｅｍｂｅｄｄｅｄ  ｃｏｎｔｒｏｌｌｅｒ）、キーボードエンコーダー（Ｋｅｙｂｏａｒｄ  ｃｏｎｔｒｏｌｌｅｒ）、或いはリモコンにより設定される。起動選択設定はコンピュータープラットホームの相関条件に基づいて設定され、この相関条件は、コンピュータープラットホーム起動日時或いは時間、コンピュータープラットホーム起動時の任意の設定値、或いはコンピューター起動時、ＢＩＯＳに基づいた、異なる起動モードである。本発明が提供するコンピュータープラットホームにおいて、記録装置はメモリ装置、或いはディスクドライブのことである。
【０００９】
この他、本発明は、ソフト（プログラム）により単一コンピュータープラットホームの多重起動画面を実現する方法を提供する。先ず、コンピュータープラットホームの起動工程を実行すると共に、ＢＩＯＳを起動する。その後、ＢＩＯＳのパターンモードになり、起動画面モードを受信し、起動画面モードが多重起動画面モードの時、起動選択設定を受信すると共に、ディスプレイ上に起動選択設定に対応する予存画面資料を表示する。起動画面モードが一般の起動画面モードの時、ディスプレイ上に予設画面資料を表示する。最後に、表示する起動画面資料に合わせて、後続の起動工程を実行する。
【００１０】
本発明が提供する方法において、コンピュータープラットホームは記憶装置を備え、多重起動画面モードに適用する予存画面資料を記憶する。コンピュータープラットホームは表示装置を備え、起動画面を表示する。ＢＩＯＳは一般の起動画面モードに適用する予設画面データを備える。
【００１１】
更に、本発明は記憶媒体を提供し、コンピュータープログラムを保存し、コンピュータープログラムは単一コンピュータープラットホームの多重起動画面を実現し、その工程は前述の通りである。
【００１２】
【発明の実施の形態】
上述した本発明の目的、特徴、及び長所をいっそう明瞭にするため、以下に本発明の好ましい実施の形態を挙げ、図を参照にしながらさらに詳しく説明する。
【００１３】
本発明はコンピュータープラットホーム１０を提供する。図１は本発明の一実施形態によるコンピュータープラットホームの機能を示す図である。コンピュータープラットホーム１０は、ディスプレイ装置１２、記憶装置１４、ＢＩＯＳ１６、ＣＰＵ１８を備える。
【００１４】
ディスプレイ装置１２は、コンピュータープラットホーム１０のデータ出力ディスプレイで、文字及び画面を表示する。一般の起動過程において、ディスプレイ１２は、システムソフト、ハードと関連する文字資料を表示するか、或いは、メーカーにより提供されたロゴ（ｌｏｇｏ）を表示する。本実施形態において、ディスプレイ１２は多重起動画面モード中、表示したい起動画面を表示するのに用いる。
【００１５】
記憶装置１４はコンピュータープラットホーム１０のデータ記憶装置で、データを記憶する。記憶装置１４はメモリ装置１４２或いはディスクドライブ１４４である。本実施形態において、記憶装置１４は多重起動画面モードに適用され、予め保存される予存画面資料１４０を記憶する。予存画面資料１４０は、多重起動画面モードを選択した後、ディスプレイ１２上に表示されるウィンドウのような作業システム中のデスクトップで、ユーザーの好みに応じて変更出来る。  ＢＩＯＳ１６は、起動テストプログラムを備え、コンピュータープラットホーム１０が起動した後、システムの初期化とテストを実施する。ＢＩＯＳ１６は、一般起動画面モードに適用され、予め設定された予設画面資料１６０を備える。一般の起動画面モードにおいて、予設画面資料１６０は、システムの初期化とテストに伴って、ディスプレイ１２上に表示される。例えば、予設画面資料１６０がメーカーの提供したロゴである場合、一般起動画面モードを選択した後、ディスプレイ１２は、メーカーにより提供されたロゴを表示する。もし、メーカーが起動画面を提供していない場合、文字モードにより、現在のコンピュータープラットホームの起動状態及びシステム関連資料を表示する。
【００１６】
ＣＰＵ１８は、コンピュータープラットホーム１０の制御及びデータ処理のユニットで、ディスプレイ１２、記憶装置１４及びＢＩＯＳ１６に接続される。ＣＰＵ１８の機能の一つは、起動プログラムに従って、コンピュータープラットホーム１０の起動工程を実行し、ＢＩＯＳ１６を起動することである。本実施形態において、ＣＰＵ１８は、パターンモードになる時、起動画面モードを受信し、起動画面モードが多重起動画面モードの場合、ＣＰＵ１８は起動選択設定を受信すると共に、起動選択設定に基づいて、ディスプレイ１２上に予存画面資料１４０を表示する。ＣＰＵ１８が受信した開示画面モードが一般の起動画面モードの場合、ディスプレイ１２上に予設画面資料１６０を表示する。
【００１７】
前述の起動選択設定は、フラグバッファ２０に保存され、フラグバッファ２０は、エンベデッドコントローラー、キーボードコントローラー及びリモコンにより設定される。エンベデッドコントローラーはシステム中に設置されたコントローラーで、キーボードコントローラーはキーボードと接続され、リモコンは通常、カスタマーライクのモードに出現し、３者は皆、キー信号を伝送する。よって、フラグを設定するのに用いることが出来る。起動選択設定はコンピュータープラットホーム１０の関連条件に基づいて設定され、この関連条件は、コンピュータープラットホーム１０起動時の起動日時或いは時間、コンピュータープラットホーム１０起動時の任意の設定値、或いはコンピュータープラットホーム１０起動時、ＢＩＯＳ１６に基づく、異なる起動モードである。
【００１８】
上述のように、例を挙げると、コンピュータープラットホーム１０が家電機能を備える時、その家電機能に対応する画面資料は、予存画面資料１４０として予めコンピュータープラットホーム１０の記憶装置１４に保存される。コンピュータープラットホーム１０起動後、ＢＩＯＳ１６を起動し、画面モードになった後、フラグバッファ２０中の起動選択設定により、多重起動画面モードを選択し、コンピュータープラットホーム１０の起動工程において、ディスプレイ装置１２上でその家電機能に対応する予存画面資料１４０を表示させる。これにより、情報家電の即時起動（Ｉｎｓｔａｎｔ    Ｏｎ）の使用要求が達成され、長い起動時間を待つ必要もなく、不要なシステム状態と文字情報を表示する必要もない。
【００１９】
図２は本発明による実施形態のフローチャートであり、各工程は本発明によるプログラムに従って、実行される。図２で示されるように、先ず、コンピュータープラットホーム１０の起動工程を実行する（工程Ｓ１００）と共に、ＢＩＯＳ１６を起動する（工程Ｓ１０２）。ＢＩＯＳ１６は起動テストプログラムを含み、コンピュータープラットホーム起動後、システムの初期化とテストを実行する。ＢＩＯＳ１６は、一般起動画面モードに適用する予設画面資料１６０を備え、一般の起動画面モードにおいて、予設画面資料１６０はシステム初期化とテストに伴って、ディスプレイ１２上に表示される。例えば、予設画面資料１６０は、メーカーが提供するロゴ、或いはシステム画面である。メーカーが起動画面を提供しない場合、文字モードにより、現在のコンピュータープラットホーム起動状態及びシステム関連資料を表示する。
【００２０】
本実施形態のコンピュータープラットホーム１０は記憶装置１４を備え、多重起動画面モードに適用する予存画面資料１４０を記録するのに用いられ、予存画面資料１４０はユーザーの好みに基づいた、起動工程中にディスプレイに表示したい画面資料である。例えば、コンピュータープラットホーム１０が家電機能を備える時、予存画面資料１４０はその家電機能に対応する画面資料である。記憶装置１４はメモリ装置１４２、或いはディスクドライブ１４４である。本実施形態のコンピュータープラットホーム１０はディスプレイ１２を更に備え、起動画面を表示する。
【００２１】
続いて、パターンモードにおいて（工程Ｓ１０４）、コンピュータープラットホーム１０のＣＰＵ１８は、起動画面モードを受信し、受信した起動画面モードが多重起動画面モードか判断する（工程１０６）。起動画面モードが多重起動画面モードの場合、ＣＰＵ１８は起動選択設定を受信し（工程Ｓ１０８）、ディスプレイ１２上で起動選択設定に対応する予存画面資料１４０を表示する（工程１１０）。
【００２２】
起動選択設定はフラグバッファ２０に保存され、フラグバッファ２０はエンベデッドコントローラー、キーボードコントローラー、リモコンにより設定される。起動選択設定はコンピュータープラットホーム１０の関連条件に基づいて設定され、この関連条件はコンピュータープラットホーム１０起動時の起動日時或いは時間、コンピュータープラットホーム１０起動時の任意の設定値、或いはコンピュータープラットホーム１０起動時、ＢＩＯＳ１６に基づく、異なる起動モードである。起動選択設定は関連条件によって異なるので、画面選択も多様であり、決まった選択に限定されない。例えば、コンピュータープラットホーム１０は毎起動時、任意の方式で、異なる起動画面を表示するか、或いはコンピュータープラットホーム１０は起動の時間に基づいて、いろいろな時間の関連起動画面を表示することが出来る。このように、コンピュータープラットホーム使用の多様性を増加し、ユーザーが繰り返し起動画面を設定変更する手間を省くことが出来る。
【００２３】
工程Ｓ１０６に戻ると、ＣＰＵ１８が受信した起動画面モードが多重起動画面モードでない、つまり、一般の起動画面モードである場合、ディスプレイ１２上にＢＩＯＳ１６の予設画面資料１６０を表示する（工程Ｓ１１２）。
【００２４】
最後に、ディスプレイ１２が表示する予存画面資料１４０或いは予設画面資料１６０に合わせて、後続の起動工程を実行する（工程Ｓ１１４）。
この他、本発明は記憶媒体を提供し、コンピュータープログラムを保存し、前記コンピュータープログラムは単一コンピュータープラットホームの多重起動画面の方法を実現するのに用いられ、その工程は、前述の通りである。
【００２５】
また、本発明が提供する方法は、ソフト方式により単一コンピュータープラットホームの多重起動画面を実現し、現有の起動工程を変更せずに、効果的に公知技術が突破できない問題を解決することができる。更に、ソフト方式により、単一コンピュータープラットホームの多重起動画面を実現し、コンピューターハードを変更することによるコストの増大を回避する。実務応用上、好ましい効果を備え、特に情報家電の応用範囲において、好ましい改善効果が得られる。
【００２６】
本発明では好ましい実施形態を前述の通り開示したが、本発明は決して実施形態に限定するものではない。当業者には明らかなように、本発明の精神と領域を脱しない範囲内で各種の変更ができ、従って本発明の保護範囲は、特許請求の範囲で指定した内容を基準とする。
【００２７】
【発明の効果】情報家電が更に便利になる。
【図面の簡単な説明】
【図１】本発明による一実施形態のコンピュータープラットホームの機能を示す図である。
【図２】本発明による一実施形態にかかるフローチャートである。
【符号の説明】
１０…コンピュータープラットホーム
１２…ディスプレイ
１４…記憶装置
１６…ＢＩＯＳ
１８…ＣＰＵ
２０…フラグバッファ
１４０…予存画面資料
１４２…メモリ
１４４…ディスクドライブ
１６０…予設画面資料
【図１】
2004164539.tif 000003
【図２】
2004164539.tif 000004